【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
第１の光と、前記第１の光と波長が異なる第２の光とを出射する光源部と、
被検眼において、前記第１の光及び第２の光をそれぞれ２次元的に走査する走査部と、
前記走査部によって前記被検眼に照射された第１の光及び第２の光の反射光をそれぞれ受光する受光部と、
前記第１の光の反射光に基づく第１画像、及び前記第２の光の反射光に基づく第２画像を生成する画像生成部と、
前記走査部により並行して走査された前記第１の光及び前記第２の光に基づく前記第１画像及び前記第２画像を関連付ける関連付け部と、
複数の前記第１画像について、画像間の変位を算出する変位算出部と、
前記関連付け部による処理結果及び前記変位に基づいて、複数の前記第２画像間の位置合わせを行う位置合わせ部と、
前記位置合わせが行われた前記複数の第２画像を重畳する重畳部と、
前記複数の第２画像を重畳して得られた画像を表示する表示部と、
を有することを特徴とする走査型眼科撮影装置。
【請求項２】
前記第１の光は赤外光であり、前記第２の光は励起光であり、
前記第２画像は、前記励起光によって発生した蛍光の前記受光部による受光結果に基づく蛍光画像であることを特徴とする請求項１記載の走査型眼科撮影装置。
【請求項３】
前記第２画像の明るさを判別する判別部と、
前記判別部による判別結果に基づいて、前記関連付け部、前記変位算出部、及び前記位置合わせ部のうち少なくともいずれかによる処理の実行の有無を切り換える管理部と、
を有することを特徴とする請求項１又は２記載の走査型眼科撮影装置。
【請求項４】
前記変位算出部は、前記変位として、前記第１画像における部分領域内の画像について、前記部分領域内の画像間の変位を算出することを特徴とする請求項１から３のいずれかに記載の走査型眼科撮影装置。
【請求項５】
前記変位算出部は、前記第１画像及び前記第２画像における部分領域を抽出する領域抽出部を有し、前記領域抽出部で抽出された前記複数の第１画像における部分領域内の画像について、前記部分領域内の画像間の変位を算出し、
前記位置合わせ部は、前記変位算出部により算出された前記部分領域内の画像間の変位に基づいて、前記領域抽出部で抽出された前記複数の第２画像における部分領域内の画像間の位置合わせを行うことを特徴とする請求項１から３のいずれかに記載の走査型眼科撮影装置。
【請求項６】
前記変位算出部は、前記第１画像を解析してその一部の領域を特定し、前記一部の領域に対応する前記第１画像中の領域を前記部分領域として特定することを特徴とする請求項４又は５記載の走査型眼科撮影装置。
【請求項７】
前記表示部に表示された前記第１画像に対してその一部の領域を指定するための操作部を有し、
前記変位算出部は、前記操作部を用いて指定された領域を前記部分領域として特定することを特徴とする請求項４又は５記載の走査型眼科撮影装置。
【請求項８】
前記変位算出部は、１つ以上の前記第２画像に基づく画像を解析してその一部の領域を特定し、前記一部の領域に対応する前記第１画像中の領域を前記部分領域として特定することを特徴とする請求項４又は５記載の走査型眼科撮影装置。
【請求項９】
前記表示部に表示された１つ以上の前記第２画像に基づく画像に対してその一部の領域を指定するための操作部を有し、
前記変位算出部は、前記操作部を用いて指定された領域に対応する前記第１画像中の領域を前記部分領域として特定することを特徴とする請求項４又は５記載の走査型眼科撮影装置。
【請求項１０】
過去画像または過去診断結果を記憶する記憶部を有し、
前記変位算出部は、前記過去画像または前記過去診断結果を解析して前記部分領域を特定することを特徴とする請求項４又は５記載の走査型眼科撮影装置。
【請求項１１】
過去画像または過去診断結果を記憶する記憶部を有し、
前記表示部に表示された過去画像または過去診断結果に対してその一部の領域を指定するための操作部を有し、
前記変位算出部は、前記操作部を用いて指定された領域を前記部分領域として特定することを特徴とする請求項１０記載の走査型眼科撮影装置。
【請求項１２】
前記第１の光及び前記第２の光を前記部分領域内のみで走査させるように前記走査部の制御を行う制御部を有することを特徴とする請求項４から１１のいずれかに記載の走査型眼科撮影装置。
【請求項１３】
前記第１の光及び前記第２の光を前記部分領域では密に走査させ、それ以外の領域では粗に走査させるように前記走査部の制御を行う制御部を有することを特徴とする請求項４から１１のいずれかに記載の走査型眼科撮影装置。
【請求項１４】
前記光源部は、前記第１の光と前記第２の光とを交互に出射することを特徴とする請求項１から１３のいずれかに記載の走査型眼科撮影装置。
【手続補正２】
【補正対象書類名】明細書
【補正対象項目名】発明の名称
【補正方法】変更
【補正の内容】
【発明の名称】走査型眼科撮影装置
【手続補正３】
【補正対象書類名】明細書
【補正対象項目名】０００１
【補正方法】変更
【補正の内容】
【０００１】
この発明は、被検眼に対して光を走査させることにより被検眼を撮影する走査型眼科撮影装置に関する。
【手続補正４】
【補正対象書類名】明細書
【補正対象項目名】００１０
【補正方法】変更
【補正の内容】
【００１０】
この発明は、以上のような問題を解決するためになされたもので、その目的は、複数枚の撮影画像を精度よく重ね合わせることが可能な走査型眼科撮影装置を提供することにある。
【手続補正５】
【補正対象書類名】明細書
【補正対象項目名】００１１
【補正方法】変更
【補正の内容】
【００１１】
上記目的を達成するために、請求項１に記載の走査型眼科撮影装置は、第１の光と、第１の光と波長が異なる第２の光とを出射する光源部を有する。また走査部は、被検眼において、第１の光及び第２の光をそれぞれ２次元的に走査する。また受光部は、走査部によって被検眼に照射された第１の光及び第２の光の反射光をそれぞれ受光する。また画像生成部は、第１の光の反射光に基づく第１画像、及び第２の光の反射光に基づく第２画像を生成する。また関連付け部は、走査部により並行して走査された第１の光及び第２の光に基づく第１画像及び第２画像を関連付ける。また変位算出部は、複数の第１画像について、画像間の変位を算出する。また位置合わせ部は、関連付け部による処理結果及び変位に基づいて、複数の第２画像間の位置合わせを行う。また重畳部は、位置合わせが行われた複数の第２画像を重畳する。また表示部は、複数の第２画像を重畳して得られた画像を表示する。
【手続補正６】
【補正対象書類名】明細書
【補正対象項目名】００１２
【補正方法】変更
【補正の内容】
【００１２】
請求項１に記載の発明によれば、並行して走査された第１の光及び第２の光に基づく第１の画像及び第２の画像を関連付ける処理を行う。また、複数の第１画像間で算出された変位と関連付け部による処理結果及び変位に基づいて、複数の第２画像間の位置合わせを行う。位置合わせ部と関連付け部による処理結果に基づいて、複数の第２画像間の位置合わせを行う。更に、位置合わせが行われた複数の第２画像を重畳して得られた表示部に表示させることができる。従って、重ね合わせる基準となるものがない場合であっても、複数の第２画像を精度よく重ね合わせることが可能となる。